(57)【要約】      （修正有）【課題】デスク装置の使い勝手を悪くすることなく、ラック装置の安定性を高める。【解決手段】ラック装置２０の支柱２１が、デスク本体１０の天板１２の後方に配置され、支柱２１は、下部ジョイント部材２５および中間部ジョイント部材２６によって、デスク本体１０の脚体１１の下端部と天板１２とに連結される。下部ジョイント部材２５においては、係止凹部がアジャスタボルトに係止することによって、支柱２１の下端部が脚体１１から離間・接近する方向に移動するのが規制され、中間部ジョイント部材２６においては、ボルトによって天板１２に固定されるとともに、延長プレート部によって上下方向への移動が規制される。【選択図】図１
2013183795.tif 000002
【特許請求の範囲】
【請求項１】
床面上に立設される一対の脚体と、前記脚体上に載置された天板とを有したデスク本体に装着されるラック装置であって、
前記天板の後方にて、該天板の上方まで前記床面上から立設される一対の支柱と、
一対の前記支柱間に、前記天板の上方にて架設される棚部材と、
前記支柱を前記天板に連結する第一の連結部材と、
前記支柱を前記脚体に連結する第二の連結部材と、を備えることを特徴とするラック装置。
【請求項２】
前記第一の連結部材は、前記天板の側面、背面、および下面の少なくとも一面に締結部材により着脱可能に連結されることを特徴とする請求項１に記載のラック装置。
【請求項３】
前記第二の連結部材は、前記脚体に係止することで、前記支柱における前記脚体に接近・離間する方向の変位を規制することを特徴とする請求項１または２に記載のラック装置。
【請求項４】
請求項１から請求項３のいずれか一項に記載のラック装置と、
一対の前記脚体および前記天板を有するデスク本体と、
を備えることを特徴とするデスク装置。
【請求項５】
前記デスク本体の前記脚体は、底部に高さ調整用のアジャスタボルトを有し、
前記第二の連結部材は、前記アジャスタボルトに係止されることを特徴とする請求項４に記載のデスク装置。
【請求項６】
前記デスク本体は、前記天板が前記脚体よりも後方に張り出して設けられ、前記脚体の後方で前記天板と床面の間に配線を配設するための配線空間が形成されており、
前記ラック装置の前記第一の連結部材および前記第二の連結部材は、前記配線空間内で前記デスク本体に連結されていることを特徴とする請求項４または５に記載のデスク装置。
【発明の詳細な説明】
【技術分野】
【０００１】
本発明は、オフィスや病院、公共施設等における執務空間にて使用されるデスク本体に装着され執務に使用可能な物品等を収容するためのラック装置、及びこれとデスク本体とを備えたデスク装置に関する。
【背景技術】
【０００２】
オフィスや病院、公共施設等における執務空間においては、執務作業を効率的に行うことができるようにデスク装置が設置されている場合が多い。
このようなデスク装置においては、天板の上方空間を有効利用するため、天板の上方に物品載置棚を備えたものがある。このような物品載置棚は、デスク後方において、天板の幅方向両側に、天板上面から上方に延びる支柱を立設し、これらの支柱によって棚板を支持したものが提案されている（例えば、特許文献１、２参照。）。このような物品載置棚を備えることで、デスク装置の物品収容量を増加させることができると共に、物品を使用者が取り出し易い位置に収容することができ、デスク装置としての使い勝手を良好なものとすることができる。
【先行技術文献】
【特許文献】
【０００３】
【特許文献１】特許第３６９０５１１号公報
【特許文献２】特許第３８２７０７６号公報
【発明の概要】
【発明が解決しようとする課題】
【０００４】
ところで、デスク装置において、脚体や幕板等の構造部材を天板後端から所定寸法前方に配置し、天板の下方において脚体や幕板の後方の空間を配線収容空間としたものが多く使用されている。
しかし、脚体や幕板等の構造部材を天板後端から所定寸法前方に配置した構造のデスク装置において、上記したような物品載置棚を取り付けようとすると、以下に示すような問題が生じる。
【０００５】
まず、天板上面から上方に延びる物品載置棚の支柱を設けようとすると、物品載置棚の荷重の支持強度を確保するために、支柱を、天板後端よりも前方に位置する構造部材上に配置する必要がある。すると、支持体も天板後端よりも前方に配置されることになるため、天板上の空間が狭められ、デスク装置としての使い勝手が悪くなってしまうという問題を有していた。
【０００６】
また、天板の後方に支柱を立てることも考えられるが、この場合、支柱は、天板後端には連結可能であるものの、それよりも下方では、脚体や幕板等の構造部材が天板後端よりも前方に配置されているためにデスク装置に連結することができず、安定性の確保が困難となっている。
そこでなされた本発明の目的は、デスク装置の使い勝手を悪くすることなく、安定性を高めることのできるラック装置、及びこれとデスク本体とを備えたデスク装置を提供することである。
【課題を解決するための手段】
【０００７】
本発明は、上記課題を解決するため、以下の手段を採用する。
すなわち、本発明は、床面上に立設される一対の脚体と、脚体上に載置された天板とを有したデスク本体に装着されるラック装置であって、天板の後方にて、該天板の上方まで床面上から立設される一対の支柱と、一対の支柱間に、天板の上方にて架設される棚部材と、支柱を天板に連結する第一の連結部材と、支柱を脚体に連結する第二の連結部材と、を備えることを特徴とする。
このようなラック装置は、支柱を第一の連結部材と第二の連結部材によってデスク装置の天板と脚体に連結することで、支柱をラック装置に確実に固定でき、ラック装置を強固に設けることができる。しかも、支柱が天板の後方に立設されるため、天板上のスペースを有効利用することができる。
【０００８】
ここで、第一の連結部材は、いかなる構成としても良いが、天板の側面、背面、および下面の少なくとも一面に締結部材により着脱可能に連結されるのが好ましい。これにより、天板の上面のスペースを用いることなく支柱を天板に固定できる。
【０００９】
また、第二の連結部材は、脚体に係止することで、支柱における脚体に接近・離間する方向の変位を規制するのが好ましい。
【００１０】
本発明は、上記したようなラック装置と、一対の脚体および天板を有するデスク本体と、を備えることを特徴とするデスク装置とすることもできる。
この場合、デスク本体の脚体は、底部に高さ調整用のアジャスタボルトを有し、第二の連結部材は、アジャスタボルトに係止されるようにしてもよい。これによって、第二の連結部材は、脚体に係止することで、支柱における脚体に接近・離間する方向の変位を規制する。
【００１１】
また、デスク本体は、天板が脚体よりも後方に張り出して設けられ、脚体の後方で天板と床面の間に配線を配設するための配線空間が形成されており、ラック装置の第一の連結部材および第二の連結部材は、配線空間内でデスク本体に連結されていることを特徴とする請求項４または５に記載のデスク装置。
【発明の効果】
【００１２】
本発明によれば、支柱を第一の連結部材と第二の連結部材によってデスク装置の天板と脚体に連結することで、支柱をラック装置に確実に固定でき、ラック装置を強固に設けることができる。しかも、支柱が天板の後方に立設されるため、天板上の空間が狭められることもなく、スペースを有効利用することができる。
したがって、脚体や幕板等の構造部材を天板後端から所定寸法前方に配置した構造のデスク装置においても、デスク装置の使い勝手を悪くすることなく、ラック装置の安定性を高めることが可能となる。
【図面の簡単な説明】
【００１３】
【図１】デスク装置にラック装置を装着した状態を示す斜視図である。
【図２】ラック装置の下部ジョイント部材によるデスク装置への連結構造を示す斜視図である。
【図３】ラック装置の中間部ジョイント部材によるデスク装置への連結構造を示す斜視図である。
【図４】支柱の上部に設けた上部連結部材の取付構造を示す斜視図である。
【図５】支柱の下部に設けた下部連結部材の取付構造を示す斜視図である。
【図６】ラック装置に設けたパネルの取付構造を示す斜視図である。
【図７】ラック装置に設けた棚部材を示す斜視図である。
【図８】デスク装置どうしを対向配置した場合におけるラック装置の取付状態を示す斜視図である。
【図９】デスク装置を複数組対向配置した場合におけるラック装置の取付状態を示す斜視図である。
【図１０】デスク装置を複数組対向配置した場合におけるラック装置の取付状態を示す斜視図である。
【発明を実施するための形態】
【００１４】
以下、添付図面を参照して、本発明によるラック装置を実施するための最良の形態を説明する。しかし、本発明はこれらの実施例のみに限定されるものではない。
【００１５】
図１に示すように、デスク装置１００は、デスク本体１０の背面側に、ラック装置２０が設置されることで構成される。
ここで、デスク本体１０は、床面Ｆ上に互いに離間して立設された一対の脚体１１、１１と、これら脚体１１、１１上に載置された天板１２と、を少なくとも有する。デスク本体１０は、脚体１１、１１間に、床面Ｆに直交する面内に位置する幕板１３が設けられている。
デスク本体１０を使用するときにユーザが位置する側を前方、その反対側を後方としたとき、このデスク本体１０は、脚体１１の後端部１１ｒが、天板１２の後端部１２ｒよりも、前方に位置している。これにより、天板１２の下方において、脚体１１の後端部１１ｒよりも後方の空間が配線用空間Ａｃとされている。
【００１６】
ラック装置２０は、天板１２の幅方向両端部に位置し、床面Ｆ上に互いに離間し、天板１２の上方まで床面Ｆ上から立設される一対の支柱２１、２１と、配線用空間Ａｃ内で床面Ｆと平行に配置されてこれら支柱２１、２１同士を連結する上部連結部材２２および下部連結部材２３と、を少なくとも備えている。
【００１７】
各支柱２１は、断面矩形の筒状で、前面２１ｆにおいて、その長手方向に所定の間隔をあけて、略矩形状の係止孔２４が複数貫通形成されている。
【００１８】
図２、図３に示すように、支柱２１は、その下端部２１ａが下部ジョイント部材（第二の連結部材）２５によりデスク本体１０の脚体１１に連結され、中間部２１ｂが中間部ジョイント部材（第一の連結部材）２６によりデスク本体１０の天板１２に連結されている。
【００１９】
図２に示すように、下部ジョイント部材２５は、支柱２１に直交する方向に延びる略Ｊ字状の断面を有したサポートプレート２７と、このサポートプレート２７上に連結される連結プレート２８とを有する。
サポートプレート２７は、連結プレート２８が載置される板状の載置部２７ａと、載置部２７ａの幅方向両側に上方に向けて立ち上がるように形成され、連結プレート２８をサポートするガイド部２７ｂ、２７ｃとを有し、載置部２７ａ及びガイド部２７ｂ、２７ｃにより断面略Ｊ字状に形成されている。
連結プレート２８の一端部２８ａには、一端部２８ａと他端部２８ｂとを結ぶ方向に長い長孔２９が形成されている。この長孔２９と、サポートプレート２７に形成されたネジ孔２７ｚとにボルト３０を挿入して締結することで、サポートプレート２７と連結プレート２８とが連結される。このとき、ボルト３０に対する長孔２９の位置を適宜調整することで、連結プレート２８のサポートプレート２７に対する他端部２８ｂの突出寸法を調整できるようになっている。
【００２０】
図２（ａ）に示したように、連結プレート２８の他端部２８ｂには、一端部２８ａと他端部２８ｂとを結ぶ方向に直交する方向に凹となる係止凹部３１が形成されている。図２（ｂ）に示したように、連結プレート２８の他端部２８ｂは、デスク本体１０の脚体１１の底面１１ｂに高さ調整のために設けられたアジャスタボルト３２の頭部３２ａと脚体１１の底面１１ｂとの間に挿入し、係止凹部３１にアジャスタボルト３２の軸部３２ｂを挿入させる。
これにより、下部ジョイント部材２５は、その下端部が、脚体１１から離間・接近する方向への一定寸法（係止凹部３１の幅）以上の移動が、係止凹部３１とアジャスタボルト３２との係止により阻止される。
【００２１】
図３に示すように、中間部ジョイント部材２６は、支柱２１の中間部２１ｂに設けられ、支柱２１に対して下部ジョイント部材２５と平行にデスク本体１０に向けて前方へ延びるベースプレート２６ａと、ベースプレート２６ａの上端部から天板１２の下面と平行となるよう折り曲げられてデスク本体１０の左右方向外側へ向かうようにベースプレート２６ａから張り出す張出部２６ｂと、張出部２６ｂから天板１２の側面と平行となるよう立ち上がる固定プレート部２６ｃと、を有する。
このような中間部ジョイント部材２６は、張出部２６ｂを天板１２の下面に沿わせた状態で、固定プレート部２６ｃが天板１２の側面に沿うようになっている。そして、固定プレート部２６ｃに形成された貫通孔３５と、天板１２の側面に予め形成されたボルト穴１２ｚにボルト３６をねじ込むことで、中間部ジョイント部材２６により支柱２１が天板１２に連結・固定される。
【００２２】
ここで、固定プレート部２６ｃに、天板１２の前方に向けて延びる延長プレート部２６ｄを設け、天板１２の側面には、延長プレート部２６ｄの上下に互いに平行に位置するガイド部３７、３７を設ける構成とするのが好ましい。これにより、延長プレート部２６ｄが上下に挟まれて上下方向への移動が規制される。
【００２３】
上記したような下部ジョイント部材２５および中間部ジョイント部材２６によって、支柱２１はデスク本体１０の脚体１１の下端部と天板１２とに連結される。下部ジョイント部材２５においては、係止凹部３１がアジャスタボルト３２に係止することによって、支柱２１の下端部が脚体１１から離間・接近する方向に移動するのが規制され、中間部ジョイント部材２６においては、ボルト３６によって天板１２に固定されるとともに、延長プレート部２６ｄによって上下方向への移動が規制されている。これによって、支柱２１は、デスク本体１０に強固に連結され、転倒が確実に阻止される。
【００２４】
図４に示すように、天板１２の幅方向両端部に位置するこれらの支柱２１、２１どうしを上端部で連結する上部連結部材２２は、例えば矩形断面のビーム部材３８と、その両端部に設けられ、ビーム部材３８が連続する方向と直交する方向に延びるブラケット部３９と、を有する。
そして、上部連結部材２２は、両端のブラケット部３９、３９を、支柱２１の側面に突き当てた状態で、ブラケット部３９と支柱２１にそれぞれ形成されたビス孔にビス４０をねじ込むことによって支柱２１に固定されている。
【００２５】
また、図５（ａ）に示すように、下部連結部材２３は、例えば矩形断面のビーム材を矩形枠状に組んだもので、その両側面が、支柱２１に形成された図示しないボルト孔にボルト４１によって固定されている。
ここで、図５（ｂ）に示すように、支柱２１に、下部連結部材２３を支持するとともに、その高さを位置決めするため、支持部材４２を溶接等によって設けておいても良い。
【００２６】
このような基本構成を有するラック装置２０には、様々なオプションを設けることができる。
例えば図６に示すように、天板１２よりも上方に、パネル４８を設けることができる。このパネル４８は、その両側端部に貫通孔（図示無し）を形成しておき、支柱２１、２１に形成されたビス孔（図示無し）に、ビス４９等によって固定することができる。
【００２７】
また、図７に示すように、天板１２よりも上方にて、支柱２１、２１間に棚板（棚部材）５１を架設することもできる。
棚板５１は、底板５１ａと背面板５１ｂとが略Ｌ字状断面となるよう配置され、幅方向両側には、ブラケットプレート５１ｃが設けられている。ブラケットプレート５１ｃには、支柱２１の係止孔２４に係合するフック（図示無し）が設けられている。棚板５１の両端部のブラケットプレート５１ｃ、５１ｃのフックを支柱２１、２１の係止孔２４に係合させることで、棚板５１が支柱２１、２１に装着される。
このとき、底板５１ａは、前端側から後端側に向けて、例えば４°以上の角度で漸次低くなるようにするのが好ましい。これにより、底板５１ａ上に載せた物品が地震などの揺れにより落下するのを防ぐことができる。
【００２８】
上述したようなラック装置２０は、脚体１１の後端部１１ｒが、天板１２の後端部１２ｒよりも前方側に位置し、天板１２の下方において、脚体１１の後端部１１ｒよりも後方の空間が配線用空間Ａｃとされているデスク本体１０であっても、ラック装置２０を設けることが可能となった。
また、支柱２１を天板１２の後方に立設し、これら支柱２１、２１間に棚板５１等を設けるようにしたので、天板１２上の空間の有効利用を図ることができる。しかも、ラック装置２０は、簡易な構成でありながら、デスク本体１０に対して、容易に、かつ強固に取り付けることができ、また、不要時にはボルト等を外すことで容易に脱着することができる。
下部ジョイント部材２５は、脚体１１に一般的に用いられているアジャスタボルト３２を用いて接続するようにしたので、脚体１１側には、特にラック装置２０の工程のために特別な加工等を施す必要がなく、低コストで上記効果を得ることができる。
【００２９】
（応用例）
上記したようなラック装置２０を、図８に示すように、互いに対向するデスク本体１０に設けてデスク装置１００を構成する場合には、上記したような構造により、一方のデスク本体１０に対してラック装置２０を取り付ける。そして、支柱２１の中間部２１ｂに、他方のデスク本体１０に対向する側に、中間部ジョイント部材２６を取り付け、これを他方のデスク本体１０の天板１２に上記と同様の構造により固定すれば良い。
【００３０】
さらに、図９に示すように、複数台のデスク本体１０を並べてデスク装置１００を構成する場合にも、上記と同様の構成によりラック装置２０を取り付けることができる。
また、さらに、図１０に示すように、各デスク本体１０の天板の両側に、パーティションボード６０を取り付けることもできる。このパーティションボード６０は、天板１２に固定しても良いが、ラック装置２０の支柱２１に連結固定しても良い。その場合、支柱２１に、パーティションボード６０を取り付ける高さにも係止孔２４を形成しておけば、棚板５１を係合させたのと同様の構造によりパーティションボード６０を支柱２１に容易に固定することができる。
【００３１】
なお、本発明のラック装置２０は、図面を参照して説明した上述の各実施形態に限定されるものではなく、その技術的範囲において様々な変形例が考えられる。
例えば、デスク本体１０は、いかなる構成であっても良い。
また、ラック装置２０には、棚板５１以外の様々なオプション部材を装着することができる。
【００３２】
係止凹部３１にアジャスタボルト３２を係止させるようにしたが、係止凹部３１に代えて貫通孔を連結プレート２８に形成し、この貫通孔にアジャスタボルト３２の軸部３２ｂを挿通させるようにしても良い。
ラック装置２０をデスク本体１０に容易かつ確実に固定できるのであれば、上記した以外の構造により支柱２１をデスク本体１０に連結しても良い。例えば、中間部ジョイント部材２６は、天板１２の側面ではなく、背面や下面に固定することもできる。
これ以外にも、本発明の主旨を逸脱しない限り、上記実施の形態で挙げた構成を取捨選択したり、他の構成に適宜変更することが可能である。
【符号の説明】
【００３３】
１０  デスク本体
１１  脚体
１２  天板
１２ｒ      後端部
１３  膜板
２０  ラック装置
２１  支柱
２２  上部連結部材
２３  下部連結部材
２４  係止孔
２５  下部ジョイント部材（第二の連結部材）
２６  中間部ジョイント部材（第一の連結部材）
２７  サポートプレート
２８  連結プレート
２９  長孔
３０  ボルト
３１  係止凹部
３２  アジャスタボルト
３７  ガイド部
３８  ビーム部材
３９  ブラケット部
４２  支持部材
５０  パネル
５１  棚板（棚部材）
６０  パーティションボード
１００  デスク装置
Ａｃ  配線用空間
Ｆ    床面
【図１】
2013183795.tif 000003
【図２】
2013183795.tif 000004
【図３】
2013183795.tif 000005
【図４】
2013183795.tif 000006
【図５】
2013183795.tif 000007
【図６】
2013183795.tif 000008
【図７】
2013183795.tif 000009
【図８】
2013183795.tif 000010
【図９】
2013183795.tif 000011
【図１０】
2013183795.tif 000012